(57)【特許請求の範囲】
【請求項１】
フレキシブル回路ケーブル用コネクタであって、
フレキシブル回路ケーブル用の挿入スロットが前部に形成され、端子挿入穴が前部および後部に形成されているハウジングと、
前記端子挿入穴を通り、前記ハウジングの前部および後部に挿入される複数の接触端子と、
ピボット軸を中心として枢動し、閉位置にて、前記フレキシブル回路ケーブルを前記ハウジングの中に押し入れ、前記接触端子と前記フレキシブル回路ケーブルの導体部との間に電気接触を作るアクチュエータと、
該アクチュエータとともに回転し、回転を可能にするように前記ハウジングに取り付けられ、埃の混入を防ぐ成形ダストカバーと、を備え、
該成形ダストカバーの両端部に回転軸溝が形成され、
該回転軸溝への連結を可能にするため、前記ハウジングの両側に回転軸突起部が形成されている、フレキシブル回路ケーブル用コネクタ。
【請求項２】
前記アクチュエータの回転時に、該アクチュエータからの脱離防止、および前記成形ダストカバーの滑り動作誘導のため、該成形ダストカバーの前端部に誘導突起部が形成されている、請求項１に記載のフレキシブル回路ケーブル用コネクタ。
【請求項３】
前記アクチュエータの閉位置で、前記両端部が「Ｕ」の形状を有するため、前記成形ダストカバーが縦方向または横方向のいずれにも脱離できない、請求項１に記載のフレキシブル回路ケーブル用コネクタ。
【請求項４】
前記成形ダストカバーの脱離を防止するために、前記ハウジングの両側に脱離防止壁が形成されている、請求項１に記載のフレキシブル回路ケーブル用コネクタ。
【請求項５】
前記回転軸溝に隣接する前記ハウジングの両外側に、前記成形ダストカバーを容易に挿入するための傾斜面が形成されている、請求項１に記載のフレキシブル回路ケーブル用コネクタ。
【請求項６】
前記回転軸突起部は前記回転軸溝に挿入され、前記回転軸突起部が、前記回転軸溝の周囲に形成された、脱離防止縁部により、前記成形ダストカバーの上方向への脱離を防止するよう構成されている、請求項１に記載のフレキシブル回路ケーブル用コネクタ。
【請求項７】
前記アクチュエータの枢動時に、該アクチュエータからの脱離防止、および前記成形ダストカバーの滑り動作を誘導するため、誘導突起部が、前記成形ダストカバーの前端部に形成されている、請求項５に記載のフレキシブル回路ケーブル用コネクタ。
【請求項８】
前記ハウジングの両側に、前記成形ダストカバーの脱離防止のため、脱離防止壁が形成されている、請求項５に記載のフレキシブル回路ケーブル用コネクタ。
【請求項９】
前記アクチュエータの閉位置で、前記両端部が「Ｕ」の形状を有するため、前記成形ダストカバーが縦方向または横方向のいずれにも脱離できない、請求項２に記載のフレキシブル回路ケーブル用コネクタ。
【請求項１０】
前記成形ダストカバーの両側に、前記脱離防止壁と合致する、脱離防止突起部が形成されている、請求項４に記載のフレキシブル回路ケーブル用コネクタ。
【請求項１１】
前記成形ダストカバーの両側に、前記脱離防止壁と合致する、脱離防止突起部が形成されている、請求項８に記載のフレキシブル回路ケーブル用コネクタ。
【発明の詳細な説明】
【技術分野】
【０００１】
本発明はフレキシブル回路ケーブルをプリント回路基板に接続するコネクタに関し、より詳細には、成形ダストカバーがアクチュエータと一体化されているため、アクチュエータの起動とともに作動し、また合成樹脂製のため、組立工程が簡素化されており、回路内で雑音が発生しないフレキシブル回路ケーブル用コネクタに関する。
【背景技術】
【０００２】
情報技術製品などにおける設計の自由度を増進させるため、従来は固いプリント回路基板より、柔軟材料であるフレキシブルプリント基板（ＦＰＣ）およびフレキシブルフラットケーブル（ＦＦＣ）を使用する。
【０００３】
従来技術によるほとんどのフレキシブル回路ケーブル（ＦＦＣ／ＦＰＣ）用コネクタは、アクチュエータが閉じた後、例えば接触端子などの導体部が、特定の場所で露出する構造を有する。露出する導体部にある導体と導体との間に埃またはその他の異物がある場合、電気的短絡が発生し、回路を損傷または故障させるため、ダストカバーなどの分離した構造が加えられたり、あるいは一時的なテープ付着が施される。
【０００４】
しかしながら、従来技術による方法では追加工程を必要とし、またテープした部分は、例えば加熱下においては簡単に落下してしまうため、耐久性の点からすると、一時的および危険な固定方法に過ぎない。
【０００５】
韓国登録特許第１０−０６６６１１１号では、ケーブルコネクタ用のダストカバーが開示されているが、従来技術よる本ケーブルコネクタ用ダストカバーは、ハウジングに連結する構造を有し、アクチュエータには接続されていない。これにより構造的問題が発生し、ダストカバーとハウジングを連結または分離する動作が不便であり、またアクチュエータの作動を妨害することがある。
【発明の概要】
【発明が解決しようとする課題】
【０００６】
従来技術によるダストカバーは、一般に、アクチュエータが別の作業工程で取り付けられているか、または金属材料を使用し回転するよう構成されているかの、２つの方法で構成される。前者の場合、追加工程による問題を処理する必要があり、一方で後者の場合は、金属材料が問題的な量の回路雑音を発生させる。本発明は成形ダストカバーが単一部品としてアクチュエータに連結されているため、アクチュエータの起動とともに作動し、また合成樹脂製であるため、組立工程が簡素化されており、回路雑音の発生を回避するフレキシブル回路ケーブル用コネクタを提供することを目的とする。
【課題を解決するための手段】
【０００７】
上記目的を達成するため、本発明の一実施形態によるフレキシブル回路ケーブル用コネクタは、フレキシブル回路ケーブル用の挿入スロットが前部に形成され、端子挿入穴が前部および後部に形成されているハウジングと、前記端子挿入穴を通り、前記ハウジングの前部および後部に挿入される複数の接触端子と、ピボット軸を中心として枢動し、閉位置にて、挿入されたフレキシブル回路ケーブルを下方に、また前記ハウジングの中に押し入れ、前記接触端子と前記フレキシブル回路ケーブルの導体部との間に電気接触を作るアクチュエータと、該アクチュエータとともに枢動し、回転を可能にするように前記ハウジングに取り付けられ、これにより埃の混入を防ぐ成形ダストカバーと、を備え、該成形ダストカバーの両側に回転軸溝が形成され、該回転軸溝に連結するため、前記ハウジングの両側に回転軸突起部が形成されるような構造を有する。
【０００８】
前記成形ダストカバーの前端部には、前記アクチュエータからの分離を防止するための誘導突起部が形成されており、前記アクチュエータが枢動するときに、前記成形ダストカバーの滑りを誘導する。
【０００９】
前記ハウジングの両側には、前記成形ダストカバーの脱離を防止するよう、脱離防止壁が形成されている。
【発明の効果】
【００１０】
上記の通り、本発明は、成形ダストカバーが単一部品としてアクチュエータに連結されているため、アクチュエータとともに作動し、また合成樹脂製であるため、組立工程が簡素化され、回路内で雑音が発生しないという効果を有する。
【００１１】
さらに、本発明は、アクチュエータが開位置から閉位置に切り替わるときに、アクチュエータに対し滑るよう（またはスライドするよう）構成された成形ダストカバーにより、アクチュエータへの埃および異物の混入を効果的に防ぐことで、不適切な起動または短絡による回路への損傷を防ぎ、製品の信頼性を高めることができる。
【００１２】
さらに、本発明は、軸の回転中に成形ダストカバーの滑りを誘導することで、回路の円滑な起動を可能にする効果を有し、加えて、２つの誘導突起部を使用することで、成形ダストカバーがアクチュエータから脱離するのを防止する効果を有する。
【００１３】
そのうえ、本発明は、脱離防止壁により、アクチュエータまたは成形ダストカバーに外力などが加えられた場合、成形ダストカバーの下方への脱離を防止することで、製品の信頼性を高めることができる。
【図面の簡単な説明】
【００１４】
【図１】本発明の第１の実施形態による、フレキシブル回路ケーブル用コネクタを示す分解斜視図である。
【図２】本発明の第１の実施形態による、開位置にあるフレキシブル回路ケーブル用コネクタの接続状態の斜視図である。
【図３】本発明の第１の実施形態による、閉位置にあるフレキシブル回路ケーブル用コネクタの接続状態を示す斜視図である。
【図４】図２の正面図である。
【図５】図３の正面図である。
【図６】図２の上面図である。
【図７】図３の上面図である。
【図８】図１の「Ａ」の拡大図である。
【図９】図１の「Ｂ」の拡大図である。
【図１０ａ】開位置にある成形ダストカバーのヒンジ部の断面図である。
【図１０ｂ】アクチュエータの枢動を示している、成形ダストカバーのヒンジ部の断面図である。
【図１０ｃ】閉位置にある成形ダストカバーのヒンジ部の断面図である。
【図１１】本発明の第２の実施形態による、フレキシブル回路ケーブル用コネクタを示す分解斜視図である。
【図１２】本発明の第２の実施形態による、開位置にあるフレキシブル回路ケーブル用コネクタの接続状態の斜視図である。
【図１３】本発明の第２の実施形態による、閉位置にあるフレキシブル回路ケーブル用コネクタの接続状態を示す斜視図である。
【図１４】図１２の正面図である。
【図１５】図１３の正面図である。
【図１６】図１２の上面図である。
【図１７】図１３の上面図である。
【図１８】図１１の「Ａ」の拡大図である。
【図１９】図１１の「Ｂ」の拡大図である。
【図２０ａ】開位置にある成形ダストカバーのヒンジ部の断面図である。
【図２０ｂ】開位置にある成形ダストカバーのヒンジ部の断面図である。
【図２１ａ】アクチュエータの枢動を示している、成形ダストカバーのヒンジ部の断面図である。
【図２１ｂ】アクチュエータの枢動を示している、成形ダストカバーのヒンジ部の断面図である。
【図２２ａ】閉位置にある成形ダストカバーのヒンジ部の断面図である。
【図２２ｂ】閉位置にある成形ダストカバーのヒンジ部の断面図である。
【発明を実施するための形態】
【００１５】
以下に、図面を参照しながら、本発明の好ましい実施形態によるフレキシブル回路ケーブル用コネクタの詳細を説明する。
【００１６】
図１は本発明の第１の実施形態による、フレキシブル回路ケーブル用コネクタを示す分解斜視図である。図２は本発明の第１の実施形態による、開位置にあるフレキシブル回路ケーブル用コネクタの接続状態を示す斜視図である。図３は本発明の第１の実施形態による、閉位置にあるフレキシブル回路ケーブル用コネクタの接続状態の斜視図である。図４は図２の正面図である。図５は図３の正面図である。図６は図２の上面図である。図７は図３の上面図である。図８は図１の「Ａ」の拡大図である。図９は図１の「Ｂ」の拡大図である。図１０ａは開位置にある成形ダストカバーのヒンジ部の断面図である。図１０ｂはアクチュエータの枢動を示している、成形ダストカバーのヒンジ部の断面図である。図１０ｃは閉位置にある成形ダストカバーのヒンジ部の断面図である。
【００１７】
上記図面を参照すると、本発明の第１の実施形態によるフレキシブル回路ケーブル用コネクタ（１００）は、フレキシブル回路ケーブル用の挿入スロット（１１１）が前部に形成され、端子挿入穴（１１３）が前部および後部に形成されているハウジング（１１０）と、前記端子挿入穴（１１３）を通り、前記ハウジングの前部および後部に挿入される複数の接触端子（１２０）と、ピボット軸（１３１）を中心として枢動し、閉位置にて、挿入されたフレキシブル回路ケーブル（１）を下方に、また前記ハウジング（１１０）の中に押し入れ、前記接触端子（１２０）と前記フレキシブル回路ケーブル（１）の導体部（１ａ）との間に電気接触を作るアクチュエータ（１３０）と、該アクチュエータ（１３０）とともに枢動し、回転を可能にするよう前記ハウジング（１１０）に取り付けられ、これにより埃の混入を防ぐ成形ダストカバー（１４０）と、を備え、該成形ダストカバー（１４０）の両端部（１４０’）に回転軸溝（１４１）が形成され、該回転軸溝（１４１）への連結を可能にするため、前記ハウジング（１１０）の両側に回転軸突起部（１１５）が形成されている構造を有する。
【００１８】
本発明の第１の実施形態によるフレキシブル回路ケーブル用コネクタ（１００）の構成を考察すると、前記ハウジング（１１０）は、断熱の目的のため、通常合成樹脂などで形成されている。
【００１９】
前記端子挿入穴（１１１）には、複数の接触端子（１２０）が挿入および連結される。前記ハウジング（１１０）の前部には第１の接触端子（１２１）が挿入され、前記ハウジング（１１０）の後部には第２の接触端子（１２２）が挿入される。
【００２０】
前記接触端子（１２０）の一方の端部は、プリント回路基板（図示せず）に固定され、前記接触端子（１２０）の他方の端部は、フレキシブル回路ケーブル（１）の導体部（１ａ）に接続および電気的に接触するよう構成されている。前記接触端子（１２０）は通常銅合金で形成されている。
【００２１】
前記アクチュエータ（１３０）はピボット軸（１３１）を中心として枢動し、閉位置において、前記フレキシブル回路ケーブル（１）が前記ハウジング（１１０）の中に挿入されたときに押し下げられることにより、前記接触端子（１２０）と前記フレキシブル回路ケーブル（１）の導体部（１ａ）との間に電気接触を作る。
【００２２】
前記成形ダストカバー（１４０）は合成樹脂で作られており、前記ハウジング（１１０）内を前記アクチュエータ（１３０）とともに枢動するように取り付けられているため、埃や異物の混入を防ぐよう作動する。
【００２３】
前記成形ダストカバー（１４０）の回転を支援するために、回転軸溝（１４１：図９を参照）が前記成形ダストカバー（１４０）の両端部（１４０’）に形成されており、前記ハウジング（１１０）の両側に回転軸突起部（１１５：図８を参照）が形成され、前記回転軸溝（１４１）への連結が可能となる。
【００２４】
前記アクチュエータ（１３０）の閉位置で、前記両端部（１４０’）は好ましくは「Ｕ」型またはキャップ形状を有し、前記成形ダストカバー（１４０）が縦方向または横方向のいずれにも脱離できないようにする。
【００２５】
前記成形ダストカバー（１４０）は回転可能な中心軸を有し、前記成形ダストカバー（１４０）を直ちに挿入できるよう、前記回転軸突起部（１１５）に傾斜面（１１５ａ：図８を参照）が形成されている。
【００２６】
前記アクチュエータ（１３０）の閉位置で、前記成形ダストカバー（１４０）が覆うことで前記接触端子（１２０）の外部露出を防ぎ、これにより、埃や異物の混入による短絡および不適切な起動を効果的に防止する。
【００２７】
前記成形ダストカバー（１４０）の前端部には、誘導突起部（１４３：図９を参照）が形成されており、前記アクチュエータ（１３０）からの脱離を防止し、該アクチュエータ（１３０）が枢動する際に、前記成形ダストカバー（１４０）の滑り動作を誘導する。
【００２８】
よりやや詳細には、２つの前記誘導突起部（１４３）は、前記成形ダストカバー（１４０）および前記アクチュエータ（１３０）の脱離を防止するだけでなく、該アクチュエータ（１３０）の前部および後部に位置しているため、前記成形ダストカバー（１４０）が前記アクチュエータ（１３０）と同じ回転角度で枢動するときに、前記成形ダストカバー（１４０）の滑り動作を誘導することで、前記アクチュエータ（１３０）が枢動したときに、確実に滑らかな動きをするよう作動する。
【００２９】
前記ハウジング（１１０）の両側には、脱離防止壁（１１７：図８を参照）が形成されており、前記成形ダストカバー（１４０）の脱離を防止する。
【００３０】
前記脱離防止壁（１１７）は、外力などが前記アクチュエータ（１３０）または前記成形ダストカバー（１４０）に加えられたときに、該成形ダストカバー（１４０）の外側方向への脱離を防止するよう作動する。
【００３１】
ここでは、フレキシブル回路ケーブルはフレキシブルプリント基板（ＦＰＣ）およびフレキシブルフラットケーブル（ＦＦＣ）だけでなく、ディスプレイドライバＩＣに搭載されているチップオンフィルム（ＴＣＰ）またはテープキャリアパッケージ（ＴＣＰ）などの０．１ｍｍあるいはそれ以下のフレキシブルケーブルも含む。
【００３２】
ここでは、「開位置」とは、フレキシブル回路ケーブルがハウジング（１１０）へ挿入される前の状態において、前記アクチュエータ（１３０）が、縦方向に位置していることを意味する。「閉位置」とは、フレキシブル回路ケーブルがハウジング（１１０）へ挿入された後の状態において、前記アクチュエータ（１３０）が、水平方向に枢動する位置のことを意味し、この状態で、前記接触端子（１２０）と前記フレキシブル回路ケーブル（１）の導体部（１ａ）との間に電気的接触が確立される。
【００３３】
このように構成された本発明の第１の実施形態による、フレキシブル回路ケーブル用コネクタ（１００）の効果的な操作方法を、以下に説明する。
【００３４】
アクチュエータ（１３０）を開位置から閉位置に切り替えたときに、アクチュエータ（１３０）が枢動する場合、アクチュエータ（１３０）はピボット軸（１３１）を中心として枢動する。その後、成形ダストカバー（１４０）がアクチュエータ（１３０）とともにピボット軸突起部（１１５）の周囲を枢動する（図１０ａおよび図１０ｂを参照）。
【００３５】
前記誘導溝（１４３）は、成形ダストカバー（１４０）が前記アクチュエータ（１３０）から脱離（分離）するのを防止し、前記アクチュエータ（１３０）が枢動するときに、前記成形ダストカバー（１４０）の滑り動作を誘導するよう作動する。
【００３６】
前記ハウジング（１１０）の両側に形成された脱離防止壁（１１７）は、前記成形ダストカバー（１４０）の予期せぬ脱離（分離）を防止するよう作動する。
【００３７】
前記アクチュエータ（１３０）の閉位置で、前記成形ダストカバー（１４０）が覆うことで、前記接触端子（１２０）の外部露出を防ぎ、これにより埃や異物の混入による短絡および不適切な起動を効果的に防止する（図１０ｃを参照）。
【００３８】
図１１は本発明の第２の実施形態による、フレキシブル回路ケーブル用コネクタを示す分解斜視図である。図１２は本発明の第２の実施形態による、開位置にあるフレキシブル回路ケーブル用コネクタの接続状態の斜視図である。図１３は本発明の第２の実施形態による閉位置にあるフレキシブル回路ケーブル用コネクタの接続状態の斜視図である。図１４は図１２の正面図である。図１５は図１３の正面図である。図１６は図１２の上面図である。図１７は図１３の上面図である。図１８は図１１の「Ａ」の拡大図である。図１９は図１１の「Ｂ」の拡大図である。図２０ａ及び２０ｂは開位置にある成形ダストカバーのヒンジ部の断面図である。図２１ａ及び２１ｂはアクチュエータの枢動を示している、成形ダストカバーのヒンジ部の断面図である。図２２ａ及び２２ｂは閉位置にある成形ダストカバーのヒンジ部の断面図である。
【００３９】
上記図面を参照すると、本発明の第２の実施形態によるフレキシブル回路ケーブル用コネクタ（２００）は、フレキシブル回路ケーブル用の挿入スロット（２１１）が前部に形成され、端子挿入穴（２１３）が前部および後部に形成されているハウジング（２１０）と、前記端子挿入穴（２１３）を通り、前記ハウジング（２１０）の前部および後部に挿入される複数の接触端子（２２０）と、ピボット軸（２３１）を中心として枢動し、閉位置にて、挿入されたフレキシブル回路ケーブル（１）を下方に、また前記ハウジング（２１０）の中に押し入れ、前記接触端子（２２０）と前記フレキシブル回路ケーブル（１）の導体部との間に電気接触を作るアクチュエータ（２３０）と、該アクチュエータ（２３０）とともに枢動し、回転を可能にするよう前記ハウジング（２１０）に取り付けられ、これにより埃の混入を防ぐ成形ダストカバー（２４０）と、を備え、該成形ダストカバー（２４０）の両端部に回転軸溝（２１５）が形成され、該回転軸溝（２１５）に連結するため、前記ハウジング（２１０）の両側に回転軸突起部（２４１）が形成されている。
【００４０】
本発明の第２の実施形態によるフレキシブル回路ケーブル用コネクタ（２００）の構成をより詳細に考察すると、前記ハウジング（２１０）は、断熱の目的のため、通常は合成樹脂などで形成されている。
【００４１】
前記端子挿入穴（２１１）には、複数の接触端子（２２０）が挿入される。前記ハウジング（２１０）の前部には第１の接触端子（２２１）が挿入され、前記ハウジング（２１０）の後部には第２の接触端子（２２２）が挿入される。
【００４２】
前記接触端子（２２０）の一方の端部は、プリント回路基板（図示せず）に固定され、前記接触端子（２２０）の他方の端部は、フレキシブル回路ケーブル（１）の導体部（１ａ）に接続および電気的に接触するよう構成されている。前記接触端子（２２０）は通常銅合金で形成されている。
【００４３】
前記アクチュエータ（２３０）はピボット軸（２３１）の周囲を枢動し、閉位置において、前記フレキシブル回路ケーブル（１）が前記ハウジング（２１０）の中に挿入されたときに押し下げられることにより、前記接触端子（２２０）と前記フレキシブル回路ケーブル（１）の導体部（１ａ）との間に電気接触を作る。
【００４４】
前記成形ダストカバー（２４０）は、前記アクチュエータ（２３０）とともに枢動するよう、前記ハウジング（２１０）に取り付けられているため、これにより、埃の混入を防ぐよう作動する。
【００４５】
前記成形ダストカバー（２４０）の枢動を支援するために、回転軸突起部（２４１：図１８を参照）が前記成形ダストカバー（２４０）の両側に形成されており、また前記ハウジング（２１０）の両側に回転軸溝（２１５）が形成されているため、前記回転軸突起部（２４１）への連結が可能となる。
【００４６】
前記回転軸溝（２１５）に隣接する前記ハウジング（２１０）の両外側には、前記成形ダストカバー（２４０）を容易に挿入するための傾斜面（２１５ａ）が形成されている。
【００４７】
前記回転軸突起部（２４１）は前記回転軸溝（２１５）に挿入され、前記回転軸突起部（２４１）は、前記回転軸溝（２１５）の周囲に形成された、脱離防止縁部（２１５ｃ）（２１５ｄ）（図２２ａ）により、前記成形ダストカバー（２４０）の上方向への脱離を防止するよう構成されている。
【００４８】
前記アクチュエータ（２３０）の閉位置で、前記成形ダストカバー（２４０）が覆うことで前記接触端子（２２０）の外部露出を防ぎ、これにより、埃や異物の混入による短絡および不適切な起動を効果的に防止する。
【００４９】
前記成形ダストカバー（２４０）の前端部には、誘導突起部（２４３：図１８を参照）が形成されており、前記アクチュエータ（２３０）からの脱離を防止し、前記アクチュエータ（２３０）が枢動する際に、前記成形ダストカバー（２４０）の滑り動作を誘導する。
【００５０】
よりやや詳細には、２つの前記誘導突起部（２４３）は、前記成形ダストカバー（２４０）および前記アクチュエータ（２３０）の脱離を防止するだけでなく、前記アクチュエータ（２３０）の前部および後部に位置しているため、前記成形ダストカバー（２４０）が前記アクチュエータ（２３０）と同じ回転角度で枢動するときに、前記成形ダストカバー（２４０）の滑り動作を誘導することで、前記アクチュエータ（２３０）が枢動したときに、確実に滑らかな動きをするよう作動する。
【００５１】
前記ハウジング（２１０）の両側には、脱離防止壁（２１７：図１９を参照）が形成されており、前記成形ダストカバー（２４０）の脱離を防止する。前記成形ダストカバー（２４０）の両側には、前記脱離防止壁（２１７）と合致する、脱離防止突起部（２４１ａ、２４１ｂ、２４１ｃ：図１８および図２２（ｂ）を参照）が形成されている。
【００５２】
すなわち、前記アクチュエータ（２３０）が枢動する場合、脱離防止突起部（２４１ａ、２４１ｂ、２４１ｃ）が常に前記脱離防止壁（２１７）で嵌合（重複）するため、外力などが前記アクチュエータ（２３０）または前記成形ダストカバー（２４０）に加えられた場合、前記成形ダストカバー（２４０）は、下方向に脱離することができなくなる（図２０、図２１、および図２２（ｂ）を参照）。
【００５３】
このように構成された本発明の第２の実施形態による、フレキシブル回路ケーブル用コネクタ（１００）の効果的な操作方法を、以下に説明する。
【００５４】
アクチュエータ（２３０）を開位置から閉位置に切り替えたときに、アクチュエータ（２３０）が枢動する場合、アクチュエータ（２３０）はピボット軸（２３１）の周囲を枢動する。その後、成形ダストカバー（２４０）がアクチュエータ（２３０）とともに回転軸突起部（２４１）の周囲を枢動する（図２０および図２１を参照）。
【００５５】
前記誘導溝（２４３）は、成形ダストカバー（２４０）が前記アクチュエータ（２３０）から脱離（分離）するのを防止し、前記アクチュエータ（２３０）が枢動するときに、前記成形ダストカバー（２４０）の滑り動作を誘導するよう作動する。
【００５６】
前記成形ダストカバー（２４０）が前記アクチュエータ（２３０）とともに回転するときに、前記ハウジング（２１０）の両側に形成された前記脱離防止壁（２１７）に合致する、前記成形ダストカバー（２４０）の両側に形成された脱離防止突起部（２４１ａ）、（２４１ｂ）、（２４１ｃ）を重ね合わせることで、閉位置において、前記成形ダストカバー（２４０）がハウジング（２１０））から予期せず脱離（分離）するのを防止する。
【００５７】
前記アクチュエータ（２３０）の閉位置で、前記成形ダストカバー（２４０）が覆うことで、前記接触端子（２２０）の外部露出を防ぎ、これにより、埃や異物の混入による短絡および不適切な起動を効果的に防止する（図２２を参照）。
【００５８】
上記に記載の通り、本発明は、成形ダストカバーが単一部品としてアクチュエータに連結されているため、アクチュエータとともに作動し、また合成樹脂製であるため、組立工程が簡素化しており、回路内の雑音が発生しないという効果を有する。
【００５９】
さらに、本発明により、アクチュエータが開位置から閉位置に切り替わるときに、アクチュエータに対し滑るよう（またはスライドするよう）構成された成形ダストカバーにより、アクチュエータへの埃および異物の混入を効果的に防ぐことで、不適切な起動または短絡による回路への損傷を防ぎ、製品の信頼性を高めることができる。
【００６０】
さらに、本発明は、軸の回転中に成形ダストカバーの滑り動作を誘導することで、回路の円滑な起動を可能にする効果を有し、加えて、２つの誘導突起部を使用することで、成形ダストカバーがアクチュエータから脱離するのを防止する効果を有する。
【００６１】
そのうえ、本発明は、脱離防止壁により、アクチュエータまたは成形ダストカバーに外力などが加えられた場合、成形ダストカバーの下方への脱離を防止することで、製品の信頼性を高めることができる。
【００６２】
本発明による権利は、上記に記載の実施形態に限定されず、請求項に定義されている通りである。本発明の当業者が、請求項に記載の権限の範囲から逸脱しない限り、様々な改良を行うことができるのは明確である。
【符号の説明】
【００６３】
１１０：ハウジング
１１１：フレキシブル回路ケーブル挿入スロット
１１３：端子挿入穴
１１５：回転軸突起部
１１７：脱離防止壁
１２０：接触端子
１３０：アクチュエータ
１３１：ピボット軸
１４０：成形ダストカバー
１４１：回転軸溝
１４３：誘導突起部
２１０：ハウジング
２１１：フレキシブル回路ケーブル挿入スロット
２１３：端子挿入穴
２１５：回転軸溝
２１５ａ：傾斜面
２１５ｃ、２１５ｄ：脱離防止縁部
２１７：脱離防止壁
２２０：接触端子
２３０：アクチュエータ
２３１：ピボット軸
２４０：成形ダストカバー
２４１：回転軸突起部
２４１ａ、２４１ｂ、２４１ｃ：脱離防止突起部
２４３：誘導突起部
【図１】
0005642812.tif 000002
【図２】
0005642812.tif 000003
【図３】
0005642812.tif 000004
【図４】
0005642812.tif 000005
【図５】
0005642812.tif 000006
【図６】
0005642812.tif 000007
【図７】
0005642812.tif 000008
【図８】
0005642812.tif 000009
【図９】
0005642812.tif 000010
【図１０ａ】
0005642812.tif 000011
【図１０ｂ】
0005642812.tif 000012
【図１０ｃ】
0005642812.tif 000013
【図１１】
0005642812.tif 000014
【図１２】
0005642812.tif 000015
【図１３】
0005642812.tif 000016
【図１４】
0005642812.tif 000017
【図１５】
0005642812.tif 000018
【図１６】
0005642812.tif 000019
【図１７】
0005642812.tif 000020
【図１８】
0005642812.tif 000021
【図１９】
0005642812.tif 000022
【図２０ａ】
0005642812.tif 000023
【図２０ｂ】
0005642812.tif 000024
【図２１ａ】
0005642812.tif 000025
【図２１ｂ】
0005642812.tif 000026
【図２２ａ】
0005642812.tif 000027
【図２２ｂ】
0005642812.tif 000028